【手続補正書】
【提出日】平成17年3月24日(2005.3.24)
【手続補正１】
【補正対象書類名】明細書
【補正対象項目名】特許請求の範囲
【補正方法】変更
【補正の内容】
【特許請求の範囲】
【請求項１】
デジタル著作物であるコンテンツを利用する端末装置と前記コンテンツの前記端末装置における利用を管理するサーバ装置とからなるコンテンツ利用管理システムであって、
前記サーバ装置は、
前記端末装置を使用するユーザ毎のコンテンツの利用条件を示すライセンス情報を記憶するライセンス情報記憶手段と、
ユーザからの要求に基づいて、当該ユーザに対応する前記ライセンス情報が示す利用条件の一部又は全部を示す権利情報であるライセンスチケットを生成し、前記端末装置に送信するライセンスチケット発行手段とを備え、
前記端末装置は、
ユーザの指示に従って、前記サーバ装置にコンテンツの利用を要求する要求手段と、
前記サーバ装置から送信されてきたライセンスチケットを受信する受信手段と、
受信されたライセンスチケットが示す利用条件に従って、コンテンツの利用を制御するコンテンツ利用制御手段とを備え、
前記要求手段は、要求するコンテンツと当該コンテンツの利用量とを示す期待情報を前記サーバ装置に送信することによって前記要求をし、
前記ライセンスチケット発行手段は、前記要求手段から送信されてきた期待情報に従ってライセンスチケットを生成し、前記端末装置に送信する
ことを特徴とするコンテンツ利用管理システム。
【請求項２】
前記コンテンツの利用量には、当該コンテンツの利用回数が含まれる
ことを特徴とする請求項１記載のコンテンツ利用管理システム。
【請求項３】
前記コンテンツの利用量には、当該コンテンツの累積利用時間が含まれる
ことを特徴とする請求項１記載のコンテンツ利用管理システム。
【請求項４】
前記コンテンツは、前記端末装置において複数の利用態様で利用され得るデジタル著作物であり、
前記期待情報には、前記複数の利用態様のうちの１つを指定する情報が含まれる
ことを特徴とする請求項１記載のコンテンツ利用管理システム。
【請求項５】
前記期待情報には、要求するコンテンツと当該コンテンツの利用態様と当該利用態様での利用回数又は累積利用時間とを示す情報が含まれる
ことを特徴とする請求項４記載のコンテンツ利用管理システム。
【請求項６】
前記サーバ装置は、コンテンツの利用制御に関する端末装置の能力を示す能力情報を予め記憶する能力情報記憶手段を備え、
前記ライセンスチケット発行手段は、前記能力情報記憶手段に記憶された対応する端末装置の能力情報に従って、前記ライセンスチケットを生成し、当該端末装置に送信する
ことを特徴とする請求項１記載のコンテンツ利用管理システム。
【請求項７】
前記端末装置は、前記要求手段による要求に先立ち、コンテンツの利用制御に関する当該端末装置の能力を示す能力情報を前記サーバ装置に送信し、
前記ライセンスチケット発行手段は、前記要求手段から送信されてきた能力情報に従って、前記ライセンスチケットを生成し、前記端末装置に送信する
ことを特徴とする請求項１記載のコンテンツ利用管理システム。
【請求項８】
前記要求手段は、前記期待情報とともに、コンテンツの利用制御に関する当該端末装置の能力を示す能力情報を前記サーバ装置に送信し、
前記ライセンスチケット発行手段は、前記要求手段から送信されてきた能力情報に従って、前記ライセンスチケットを生成し、前記端末装置に送信する
ことを特徴とする請求項１記載のコンテンツ利用管理システム。
【請求項９】
前記能力情報には、前記端末装置がセキュアなクロックを備えるか否かを示すフラグが含まれる
ことを特徴とする請求項８記載のコンテンツ利用管理システム。
【請求項１０】
前記能力情報には、前記端末装置がセキュアな記録媒体への格納手段を備えるか否かを示すフラグが含まれる
ことを特徴とする請求項８記載のコンテンツ利用管理システム。
【請求項１１】
前記要求手段は、前記能力情報とともに、前記サーバ装置が当該能力情報に対応したライセンスチケットを発行することができない場合の対処方法として「ライセンスチケットを発行しない」か「利用条件が縮小されたライセンスチケットを発行する」か指定した発行許否フラグを前記サーバ装置に送信し、
前記ライセンスチケット発行手段は、前記要求手段から送信されてきた能力情報と発行許否フラグに従って、前記ライセンスチケットを生成する、又は、生成しない
ことを特徴とする請求項８記載のコンテンツ利用管理システム。
【請求項１２】
前記ライセンスチケット発行手段は、前記要求手段から能力情報を受け取った場合に、その能力情報が示す能力に対応させて、端末装置でのライセンスチケットの取り扱いを指示したライセンスチケット状態情報を当該ライセンスチケットに含ませて前記端末装置に送信する
ことを特徴とする請求項８記載のコンテンツ利用管理システム。
【請求項１３】
前記ライセンスチケット状態情報には、当該ライセンスチケットを記録媒体に書き込まずに即座に消費しなければならない旨のフラグが含まれる
ことを特徴とする請求項１２記載のコンテンツ利用管理システム。
【請求項１４】
前記ライセンスチケット状態情報には、当該ライセンスチケットの権利が消失したときに前記サーバ装置に返却されなければならない旨のフラグが含まれる
ことを特徴とする請求項１２記載のコンテンツ利用管理システム。
【請求項１５】
デジタル著作物であるコンテンツを利用する端末装置と前記コンテンツの前記端末装置における利用を管理するサーバ装置とからなるコンテンツ利用管理システムにおける端末装置であって、
前記サーバ装置は、
前記端末装置を使用するユーザ毎のコンテンツの利用条件を示すライセンス情報を記憶するライセンス情報記憶手段と、
ユーザからの要求に基づいて、当該ユーザに対応する前記ライセンス情報が示す利用条件の一部又は全部を示す権利情報であるライセンスチケットを生成し、前記端末装置に送信するライセンスチケット発行手段とを備え、
前記端末装置は、
ユーザの指示に従って、前記サーバ装置にコンテンツの利用を要求する要求手段と、
前記サーバ装置から送信されてきたライセンスチケットを受信する受信手段と、
受信されたライセンスチケットが示す利用条件に従って、コンテンツの利用を制御するコンテンツ利用制御手段とを備え、
前記要求手段は、要求するコンテンツと当該コンテンツの利用量とを示す期待情報を前記サーバ装置に送信することによって前記要求をし、
前記ライセンスチケット発行手段は、前記要求手段から送信されてきた期待情報に従ってライセンスチケットを生成し、前記端末装置に送信する
ことを特徴とする端末装置。
【請求項１６】
デジタル著作物であるコンテンツを利用する端末装置と前記コンテンツの前記端末装置における利用を管理するサーバ装置とからなるコンテンツ利用管理システムにおける端末装置のためのプログラムであって、
前記サーバ装置は、
前記端末装置を使用するユーザ毎のコンテンツの利用条件を示すライセンス情報を記憶するライセンス情報記憶手段と、
ユーザからの要求に基づいて、当該ユーザに対応する前記ライセンス情報が示す利用条件の一部又は全部を示す権利情報であるライセンスチケットを生成し、前記端末装置に送信するライセンスチケット発行手段とを備え、
前記プログラムは、
ユーザの指示に従って、前記サーバ装置にコンテンツの利用を要求する要求手段と、
前記サーバ装置から送信されてきたライセンスチケットを受信する受信手段と、
受信されたライセンスチケットが示す利用条件に従って、コンテンツの利用を制御するコンテンツ利用制御手段としてコンピュータを機能させ、
前記要求手段は、要求するコンテンツと当該コンテンツの利用量とを示す期待情報を前記サーバ装置に送信することによって前記要求をし、
前記ライセンスチケット発行手段は、前記要求手段から送信されてきた期待情報に従ってライセンスチケットを生成し、前記端末装置に送信する
ことを特徴とするプログラム。
【請求項１７】
デジタル著作物であるコンテンツを利用する端末装置と前記コンテンツの前記端末装置における利用を管理するサーバ装置とからなるコンテンツ利用管理システムにおけるサーバ装置であって、
前記サーバ装置は、
前記端末装置を使用するユーザ毎のコンテンツの利用条件を示すライセンス情報を記憶するライセンス情報記憶手段と、
ユーザからの要求に基づいて、当該ユーザに対応する前記ライセンス情報が示す利用条件の一部又は全部を示す権利情報であるライセンスチケットを生成し、前記端末装置に送信するライセンスチケット発行手段とを備え、
前記端末装置は、
ユーザの指示に従って、前記サーバ装置にコンテンツの利用を要求する要求手段と、
前記サーバ装置から送信されてきたライセンスチケットを受信する受信手段と、
受信されたライセンスチケットが示す利用条件に従って、コンテンツの利用を制御するコンテンツ利用制御手段とを備え、
前記要求手段は、要求するコンテンツと当該コンテンツの利用量とを示す期待情報を前記サーバ装置に送信することによって前記要求をし、
前記ライセンスチケット発行手段は、前記要求手段から送信されてきた期待情報に従ってライセンスチケットを生成し、前記端末装置に送信する
ことを特徴とするサーバ装置。
【請求項１８】
デジタル著作物であるコンテンツを利用する端末装置と前記コンテンツの前記端末装置における利用を管理するサーバ装置とからなるコンテンツ利用管理システムにおけるサーバ装置のためのプログラムであって、
前記端末装置を使用するユーザ毎のコンテンツの利用条件を示すライセンス情報をライセンス情報記憶手段に格納する格納手段と、
ユーザからの要求に基づいて、当該ユーザに対応する前記ライセンス情報が示す利用条件の一部又は全部を示す権利情報であるライセンスチケットを生成し、前記端末装置に送信するライセンスチケット発行手段としてコンピュータを機能させ、
前記端末装置は、
ユーザの指示に従って、前記サーバ装置にコンテンツの利用を要求する要求手段と、
前記サーバ装置から送信されてきたライセンスチケットを受信する受信手段と、
受信されたライセンスチケットが示す利用条件に従って、コンテンツの利用を制御するコンテンツ利用制御手段とを備え、
前記要求手段は、要求するコンテンツと当該コンテンツの利用量とを示す期待情報を前記サーバ装置に送信することによって前記要求をし、
前記ライセンスチケット発行手段は、前記要求手段から送信されてきた期待情報に従ってライセンスチケットを生成し、前記端末装置に送信する
ことを特徴とするプログラム。
【請求項１９】
デジタル著作物であるコンテンツを利用する端末装置と前記コンテンツの前記端末装置における利用を管理するサーバ装置とからなるシステムにおけるコンテンツ利用管理方法であって、
前記サーバ装置において、
前記端末装置を使用するユーザ毎のコンテンツの利用条件を示すライセンス情報をライセンス情報記憶手段に格納する格納ステップと、
ユーザからの要求に基づいて、当該ユーザに対応する前記ライセンス情報が示す利用条件の一部又は全部を示す権利情報であるライセンスチケットを生成し、前記端末装置に送信するライセンスチケット発行ステップとを含み、
前記端末装置において、
ユーザの指示に従って、前記サーバ装置にコンテンツの利用を要求する要求ステップと、
前記サーバ装置から送信されてきたライセンスチケットを受信する受信ステップと、
受信されたライセンスチケットが示す利用条件に従って、コンテンツの利用を制御するコンテンツ利用制御ステップとを含み、
前記要求ステップでは、要求するコンテンツと当該コンテンツの利用量とを示す期待情報を前記サーバ装置に送信することによって前記要求をし、
前記ライセンスチケット発行ステップでは、前記要求ステップから送信されてきた期待情報に従ってライセンスチケットを生成し、前記端末装置に送信する
ことを特徴とするコンテンツ利用管理方法。
【手続補正２】
【補正対象書類名】明細書
【補正対象項目名】００２０
【補正方法】削除
【補正の内容】